(57)【要約】  単体で風を当てながらスタイリング可能なヘアアイロンを提供すること。ヘアアイロン（１）は、筒状のアイロンヘッド（１１）と、送風装置（２２）とを備えている。アイロンヘッド（１１）は、外側面（１１２ｓ）の第１領域（Ｒ１）に設けられたブラシ（１２）と、第１領域（Ｒ１）と異なる第２領域（Ｒ２）に、外側面（１１２ｓ）の周方向に沿って設けられた複数のリブ（リブ群１３）とを有し、第２領域（Ｒ２）には、外側面（１１２ｓ）を貫通する複数の開口（第１開口ＡＰ１ｊ）が形成されている。
2019215972.tif 000002
【特許請求の範囲】
【請求項１】
一方の端部が封じられた側壁を有する筒状のアイロンヘッドと、上記アイロンヘッドに風を供給する送風装置と、を備え、
上記アイロンヘッドは、上記側壁の外側面のうち、当該側壁の軸方向に沿った一部領域である第１領域に設けられたブラシと、上記第１領域とは異なる領域である第２領域に上記側壁の周方向に沿って設けられた複数のリブと、を有し、
上記第２領域には、上記側壁を貫通する複数の開口が形成されている、
ことを特徴とするヘアアイロン。
【請求項２】
上記第２領域には、上記複数のリブのうち隣接する２つのリブにより挟まれた溝が複数存在し、
上記複数の開口の各々は、複数の上記溝の何れかに形成されている、
ことを特徴とする請求項１に記載のヘアアイロン。
【請求項３】
上記複数の開口は、上記第１領域と上記第２領域との境界に沿って配置されている、
ことを特徴とする請求項１又は２に記載のヘアアイロン。
【請求項４】
上記複数の開口から風が吹き出す方向である吹き出し方向は、上記側壁の横断面に沿う面に対して傾きを有する、
ことを特徴とする請求項１〜３の何れか１項に記載のヘアアイロン。
【請求項５】
上記複数の開口を複数の第１開口とし、当該複数の第１開口からなる開口群を第１開口群として、
上記第２領域のうち上記第１開口群が形成されている領域と異なる領域には、上記軸方向に沿って配置されている複数の第２開口からなる第２開口群であって、上記第１開口群とは異なる第２開口群が形成されている、
ことを特徴とする請求項３に記載のヘアアイロン。
【請求項６】
上記複数の第１開口から風が吹き出す方向である第１の吹き出し方向と、上記複数の第２開口から風が吹き出す方向である第２の吹き出し方向とは、互いに異なる、
ことを特徴とする請求項５に記載のヘアアイロン。
【請求項７】
上記複数の第１開口から風が吹き出す方向である第１の吹き出し方向、及び、上記第２開口から風が吹き出す方向である第２の吹き出し方向の少なくとも一方は、上記側壁の横断面に沿う面に対して傾きを有する、
ことを特徴とする請求項５又は６に記載のヘアアイロン。
【請求項８】
上記アイロンヘッドを加熱する加熱装置と、
帯電粒子を生成することにより、上記送風装置が生成した風を、帯電粒子を含む風に変換する帯電粒子発生装置と、を更に備えている、
ことを特徴とする請求項１〜７の何れか１項に記載のヘアアイロン。
【請求項９】
ヘアアイロンの一部を構成する、一方の端部が封じられた側壁を有する筒状のアイロンヘッドであって、
上記側壁の外側面のうち、当該側壁の軸方向に沿った一部領域である第１領域に設けられたブラシと、上記第１領域とは異なる領域である第２領域に上記側壁の周方向に沿って設けられた複数のリブと、を有し、
上記第２領域には、上記側壁を貫通する複数の開口が形成されている、
ことを特徴とするアイロンヘッド。
【発明の詳細な説明】
【技術分野】
【０００１】
本発明は、ヘアアイロン及びヘアアイロンヘッドに関する。
【背景技術】
【０００２】
ヘアスタイリングに用いる道具の１つとして、ヘアアイロンが利用されている。【０００３】
非特許文献１，２には、筒状のヘアアイロンヘッドであって、外側面の正面側の領域にブラシを設け、外側面の背面側の領域に加熱板を設けたヘアアイロンが記載されている。なお、非特許文献１，２の各々においては、それぞれ、ヘアアイロンのことをヘアアイロンブラシ及びブラシ付ヘアアイロンと称している。
【先行技術文献】
【非特許文献】
【０００４】
【非特許文献１】日本国登録意匠公報「意匠登録１４６９３２０号」
【非特許文献２】日本国登録意匠公報「意匠登録１５０３１８８号」
【発明の概要】
【発明が解決しようとする課題】
【０００５】
非特許文献１，２に記載されたタイプのヘアアイロンは、ブラシがキャッチしたに対して熱を加えることができるが、スタイリング最中の髪に対して風（温風又は冷風）を当てることはできない。したがって、髪に対して風を当てながらスタイリングをしたいユーザは、このタイプのヘアアイロンとドライヤーとを併用することになる。すなわち、ユーザは、一方の手にヘアアイロンを持ち、他方の手にドライヤーを持った状態でヘアスタイリングを行うことになる。その結果、ユーザは、ヘアスタイリングを行うたびに負担を感じる。【０００６】
本発明の一態様は、ドライヤーと併用することなく髪に対して風を当てながらスタイリング可能なヘアアイロンを提供することを目的とする。
【課題を解決するための手段】
【０００７】
上記の課題を解決するために、本発明の一態様に係るヘアアイロンは、一方の端部が封じられた筒状の側壁を有するアイロンヘッドと、上記アイロンヘッドに風を供給する送風装置と、を備えている。上記アイロンヘッドは、上記側壁の外側面のうち、当該側壁の軸方向に沿った一部領域である第１領域に設けられたブラシと、上記第１領域とは異なる領域である第２領域に上記側壁の周方向に沿って設けられた複数のリブと、を有している。上記第２領域には、上記側壁を貫通する複数の開口が形成されている。【０００８】
上記の課題を解決するために、本発明の一態様に係るアイロンヘッドは、ヘアアイロンの一部を構成する、一方の端部が封じられた筒状の側壁を有するアイロンヘッドである。本アイロンヘッドは、上記側壁の外側面のうち、当該側壁の軸方向に沿った一部領域である第１領域に設けられたブラシと、上記第１領域とは異なる領域である第２領域に上記側壁の周方向に沿って設けられた複数のリブと、を有する。上記第２領域には、上記側壁を貫通する複数の開口が形成されている。
【発明の効果】
【０００９】
本発明の一態様によれば、ドライヤーと併用することなく髪に対して風を当てながらスタイリング可能なヘアアイロンを提供することができる。また、本発明の一態様によれば、そのようなヘアアイロンの一部を構成するアイロンヘッドを提供することができる。
【図面の簡単な説明】
【００１０】
【図１】（ａ）〜（ｅ）は、それぞれ、本発明の第１の実施形態に係るヘアアイロンの上面図、右側面図、正面図、左側面図、及び背面図である。
【図２】（ａ）〜（ｃ）は、それぞれ、図１に示したヘアアイロンが備えているアイロンヘッドの右側面図、縦断面図、及び横断面図である。
【図３】本発明の第２の実施形態に係るアイロンヘッドの縦断面図である。
【図４】（ａ）及び（ｂ）は、それぞれ、本発明の第３の実施形態に係るアイロンヘッドの右側面図及び横断面図である。
【発明を実施するための形態】
【００１１】
〔第１の実施形態〕
本発明の第１の実施形態に係るヘアアイロン１について、図１を参照して説明する。図１の（ａ）〜（ｅ）は、それぞれ、ヘアアイロン１の上面図、右側面図、正面図、左側面図、及び背面図である。なお、本実施形態においては、ヘアアイロン１にとっての右側（図１の（ｃ）に示した状態におけるヘアアイロン１の左側）からヘアアイロン１を見た場合の図を右側面図と称し、ヘアアイロン１にとっての左側（図１の（ｃ）に示した状態におけるヘアアイロン１の右側）からヘアアイロン１を見た場合の図を左側面図と称する。
【００１２】
（ヘアアイロン１の構成）
図１の（ａ）〜（ｅ）の各図に示すように、ヘアアイロン１は、アイロンヘッド１１と、本体２１と、送風装置２２と、イオン発生装置２３と、を備えている。
【００１３】
アイロンヘッド１１は、本体２１に対して着脱可能に設計された、ヘアスタイリングに好適なアタッチメントである。アイロンヘッド１１は、一方の端部（図１の（ｃ）に図示した座標系におけるｚ軸正方向側の端部）が端壁１１１により封じられた筒状の側壁１１２を有する。アイロンヘッド１１の詳細については、図２を参照して後述する。なお、図１の（ｃ）に示した直線Ａ−Ａ’は、アイロンヘッド１１と本体２１との境界を示している。
【００１４】
本実施形態において、図１の（ｃ）に示すように、（１）筒状である側壁１１２の軸方向をｚ軸方向と定め、（２）ヘアアイロン１を平面視した場合にヘアアイロン１にとっての右側から左側へ向かう方向をｘ軸方向と定め、（３）ヘアアイロン１を平面視した場合にヘアアイロン１にとっての正面側から背面側へ向かう方向をｙ軸と定める。また、本実施形態において、ｘｙ平面内において、ｚ軸を中心として軸回りに回転する方向を周方向と称する。
【００１５】
本体２１は、その一方の端部であるｚ軸正方向側の端部にアイロンヘッド１１を着脱可能に設計されている。本体２１は、図１の（ｄ）に示すように、送風装置２２、イオン発生装置２３、及び加熱装置２４を収容する筐体としても機能する。なお、送風装置２２、イオン発生装置２３、及び加熱装置２４については、図１の（ｄ）にのみ模式的に示し、図１の（ａ）〜（ｃ），（ｅ）への図示は省略している。また、本体２１の他方の端部であるｚ軸負方向側の端部には、送風装置２２、イオン発生装置２３、及び加熱装置２４に給電するための給電ケーブル２５が設けられている。
【００１６】
送風装置２２は、供給された電力によりファンを回転させるモータを備えている。送風装置２２は、供給された電力を用いてモータを回転させることにより、空気の流れである風Ｗを生成する。
【００１７】
イオン発生装置２３は、陽極及び負極の２つの放電電極を備えている。イオン発生装置２３は、供給された電力を用いて、陽極と負極との間に高電圧を印加する。その結果、陽極と負極との間において放電が生じ、陽極の周辺ではプラスイオンが生成され、陰極の周辺では、マイナスイオンが生成させる。このように、イオン発生装置２３は、プラスイオン（例えば、Ｈ＋（Ｈ２Ｏ）ｍ（ｍは任意の自然数））およびマイナスイオン（例えば、Ｏ２−（Ｈ２Ｏ）ｎ（ｎは任意の自然数））を生成する。イオン発生装置２３は、送風装置２２の下流側に設けられているため、送風装置２２が生成した風Ｗは、イオン発生装置２３が生成したプラスイオン及びマイナスイオンを含むようになる。したがって、風Ｗは、イオン発生装置２３によりイオンを含む風、すなわち、イオン風ＷＩに変換させる。
【００１８】
なお、本実施形態では、プラスイオン及びマイナスイオンの双方を生成するように構成されたイオン発生装置２３について説明した。しかし、イオン発生装置２３は、プラスイオン及びマイナスイオンの何れかを生成するように構成されていてもよい。
【００１９】
なお、イオン発生装置２３は、クラスター化したプラスイオン及びクラスター化したマイナスイオンを生成するように構成されていることが好ましい。
【００２０】
また、本発明の一実施形態であるヘアアイロン１が備えているイオン発生装置２３は、請求の範囲に記載の帯電粒子発生装置の一例である。ヘアアイロン１が備えている帯電粒子発生装置は、イオン発生装置２３が発生するイオンの代わりに、電子、オゾン、ラジカル、及び活性種のうち少なくとも何れか１つを、放電により発生させる放電装置であってもよい。
【００２１】
このように風Ｗから変換されたイオン風ＷＩは、アイロンヘッド１１の他方の端部であるｚ軸負方向側の端部から、アイロンヘッド１１の内部へ供給される。
【００２２】
加熱装置２４は、供給された電力により発熱するヒータであって、アイロンヘッド１１と熱接触するように構成されたヒータを備えている。加熱装置２４は、供給された電力を用いてヒータを発熱させることにより生じた熱エネルギーＴＥを、アイロンヘッド１１に供給することによって、アイロンヘッド１１を加熱する。
【００２３】
なお、本実施形態では、アイロンヘッド１１は、本体２１に対して着脱可能に設計されているものとして説明した。しかし、ヘアアイロン１は、アイロンヘッド１１と本体２１とが一体のものとして設計されていてもよい。この場合、ヘアアイロン１は、アイロンヘッド１１内に加熱装置２４を設けるように設計されていてもよいし、本体２１内に加熱装置２４を設けるように設計されていてもよい。アイロンヘッド１１内に加熱装置２４を設ければ、直接アイロンヘッド１１を加熱できる。したがって、加熱装置２４を本体２１内に設けた場合と比較して、効率よくアイロンヘッドを加熱できる。
【００２４】
（アイロンヘッド１１の構成）
本発明の一実施形態であり、上述した本体２１とともにヘアアイロン１を構成するアイロンヘッド１１について、図２を参照して説明する。図２の（ａ）〜（ｃ）は、それぞれ、ヘアアイロン１が備えているアイロンヘッド１１の右側面図、縦断面図、及び横断面図である。図２の（ｂ）に示したアイロンヘッド１１の縦断面図は、図２の（ａ）に示した直線Ｂ−Ｂ’を含むｚｘ平面に沿ったアイロンヘッド１１の断面図である。図２の（ｃ）に示したアイロンヘッド１１の横断面図は、図２の（ａ）に示した直線Ｃ−Ｃ’を含むｘｙ平面に沿ったアイロンヘッド１１の断面図である。図２の（ｃ）においては、ブラシ１２及びリブ群１３の図示を省略し、側壁１１２の横断面のみを示している。なお、図２に図示した座標系は、図１の（ｃ）に図示した座標系と同様に定められている。
【００２５】
上述したように、アイロンヘッド１１は、一方の端部であるｚ軸正方向側の端部が端壁１１１により封じられた筒状の側壁１１２を有する（図２の（ａ）参照）。端壁１１１と側壁１１２とは、一体に成形されていてもよいし、別個に成形した部品を接合されていてもよい。
【００２６】
端壁１１１及び側壁１１２を構成する材料は、特に限定されない。その材料の一例としては、樹脂材料、セラミックス材料、及び金属材料があげられる。とくに側壁１１２を構成する材料は、加熱装置２４のヒータが発熱した熱エネルギーＴＥを効率良く伝導するために、好適な熱伝導率を有する材料であることが好ましい。また、側壁１１２を構成する材料は、任意の形状に容易に成型することができ、優れた耐熱性を有する材料であることが好ましい。これらの条件を満たす材料としては、例えば、ポリフェニレンスルファイド（Polyphenylensulfide, PPS）樹脂、ポリブチレンテレフタレート（Polybutyleneterephtalate, PBT）樹脂、及び、ポリエチレンテレフタレート樹脂（Polyethyleneterephtalate, PET）樹脂があげられる。本実施形態では、端壁１１１及び側壁１１２を構成する材料として、ＰＰＳ樹脂を採用している。
【００２７】
図２の（ａ）に示すように、アイロンヘッド１１には、ブラシ１２と、リブ群１３とが設けられている。アイロンヘッド１１において、側壁１１２の外側面１１２ｓは、第１領域Ｒ１と、第２領域Ｒ２とを含む。第１領域Ｒ１は、外側面１１２ｓの一部に設けられた領域であり、側壁１１２の軸方向（ｚ軸方向）に沿った領域である。第２領域Ｒ２は、外側面１１２ｓのうち第１領域Ｒ１と異なる領域であり、側壁１１２の軸方向に沿った領域でもある。第１領域Ｒ１及び第２領域Ｒ２の各々は、図２の（ａ）においては、二点鎖線で示し、図２の（ｃ）においては、矢印を用いてその範囲を示している。
【００２８】
図２の（ｃ）に示すように、アイロンヘッド１１の横断面における外側面１１２ｓの輪郭は、円を１つの方向に沿ってつぶすことによって得られる略楕円形状を有する。アイロンヘッド１１においては、ｘ軸方向に沿った径がｙ軸方向に沿った径を上回るように、その横断面が設計されている。そこで、ｘ軸方向に沿った径を横断面の長軸と称し、ｙ軸方向に沿った径を横断面の短軸と称する。
【００２９】
本実施形態では、上述した長軸と短軸との交点のことを、便宜上、中心ＰＯと称する。中心ＰＯは、横断面における外側面１１２ｓの輪郭の中央に位置する点であり、外側面１１２ｓの輪郭が円である場合には、数学的に定義される中心と一致する。
【００３０】
横断面における外側面１１２ｓの輪郭は、中心ＰＯを通り、且つ、ｙ軸と平行な直線を対称軸として、鏡映対称となるように設計されている。したがって、対称軸を境にして、外側面１１２ｓの輪郭のｘ軸負方向側の形状及びｘ軸正方向側の形状とは、一致する。したがって、図２の（ａ）〜（ｃ）においては、外側面１１２ｓのｘ軸負方向側に設けられた構造と、外側面１１２ｓのｘ軸正方向側に設けられた構造とに対して、同じ符号（例えば、第１開口群に付した「ＡＰ１」や、第１開口に対して付した「ＡＰ１１」など）を付している。
【００３１】
第１領域Ｒ１及び第２領域Ｒ２は、何れも側壁１１２の軸方向に沿った領域であるため、図２の（ａ）に示すように、第１領域Ｒ１と第２領域Ｒ２との境界も軸方向に沿って形成される。図２の（ｃ）に図示された境界点Ｐ１は、横断面におけるこの境界を表す。また、図２の（ｃ）に図示された一点鎖線の半直線は、中心Ｐ０から境界点Ｐ１に向かって、側壁１１２の径方向に延伸された半直線である。
【００３２】
本実施形態において、アイロンヘッド１１は、第２領域Ｒ２の面積が第１領域Ｒ１の面積を上回るように設計されている。
【００３３】
ブラシ１２は、第１領域Ｒ１に、柱状突起であるブリッスルを複数形成することにより構成されている。本実施形態において、各ブリッスルは、第１領域Ｒ１に含まれる各点からｙ軸負方向に伸びるように形成されている。このように、ブラシ１２は、第１領域Ｒ１に設けられている。本実施形態において、複数のブリッスルは、柱状で先端が球状に成形された第１のブリッスルと、直径が第１のブリッスルを上回る第２のブリッスルからなる（図１の（ｃ）参照）。複数のブリッスルの形状や、複数のブリッスルの材質や、各ブリッスルを配置する位置などは、特に限定されるものではなく、例えば、所望の髪のキャッチ力や所望の熱伝導率などに応じて適宜設計することができる。
【００３４】
例えば、第１のブリッスルとしては、樹脂製の柱状部材である樹脂ピンを採用し、第２のブリッスルとしては、第１のブリッスルを構成する樹脂と比較して熱伝導率が高い、金属製の柱状部材である金属ピンを採用することができる。第１のブリッスルを構成する樹脂の一例としては、ポリアミド（Polyamide, PA）樹脂、ＰＰＳ樹脂、ＰＢＴ樹脂、及びＰＥＴ樹脂があげられ、本実施形態ではＰＡ樹脂を採用している。第２のブリッスルを構成する金属の一例としては、アルミニウム合金及びアルミニウムがあげられる。
【００３５】
なお、側壁１１２の第１領域Ｒ１に樹脂製の第１のブリッスル及び金属製の第２のブリッスルを固定するための構成は、側壁１１２の構成に応じて適宜選択することができる。
【００３６】
例えば、図２に示したアイロンヘッド１１のように、周方向の全周に亘って一体成形された樹脂製の側壁１１２を採用している場合であれば、第１領域Ｒ１において複数の第１のブリッスル及び複数の第２のブリッスルの各々に対応する位置に、側壁１１２を貫通する開口を形成しておけばよい。複数の第１のブリッスルは、それらの根本部に設けられた棒状又はシート状のベース部により連結されている。同様に、複数の第２のブリッスルは、それらの根本部に設けられた棒状又はシート状のベース部により連結されている。このように構成された複数の第１のブリッスル及び複数の第２のブリッスルを側壁１１２の内側から外側へ向かって突出させることによって、第１領域Ｒ１に対して、複数の第１のブリッスルと複数の第２のブリッスルとを固定することができる。
【００３７】
また、アイロンヘッド１１の一変形例は、（１）側壁１１２のうち、第１領域Ｒ１に対応する部分を金属により成形し、第２領域Ｒ２に対応する部分を樹脂により成形し、（２）第１領域Ｒ１に対応する部分と第２領域Ｒ２に対応する部分とを接合することによって構成されていてもよい。この場合であれば、第１領域Ｒ１に対応する部分が第２のブリッスルと同じ金属製であるため、第２のブリッスルを第１領域Ｒ１に対応する部分と一体成形することができる。また、第１領域Ｒ１において複数の第１のブリッスルの各々に対応する位置に、側壁１１２を貫通する開口を形成しておけばよい。複数の第１のブリッスルは、それらの根本部に設けられた棒状又はシート状のベース部により連結されている。このように構成された複数の第１のブリッスルを側壁１１２の内側から外側へ向かって突出させることによって、複数の第２のブリッスルが一体成形された第１領域に対応する部分に対して、複数の第１のブリッスルを固定することができる。
【００３８】
また、第２のブリッスルを構成する材料の熱伝導率が第１のブリッスルを構成する材料の熱伝導率を上回る構成を採用する場合には、各第２ブリッスルの先端（ｙ軸負方向側の端部）が、各第１のブリッスルの先端（ｙ軸負方向側の端部）により規定される面よりも引っ込んでいる（ｙ軸正方向側に位置する）ように、第１のブリッスルのｙ軸方向に沿った長さ及び第２のブリッスルのｙ軸方向に沿った長さの各々を設定することが好ましい。この構成によれば、熱伝導率が高いことにより第１のブリッスルよりも高温になる第２のブリッスルをユーザの頭皮に接触しにくくしつつ、且つ、第２のブリッスルをユーザの髪には接触させることができる。すなわち、このように構成されたアイロンヘッド１１は、ユーザが熱を感じにくくしつつ、ヘアスタイリング（毛髪のセット）時の癖付けをしっかり行うことができる。なお、各第１のブリッスルの先端により規定される面の形状は、限定されるものではなく、適宜設定することができる。例えば、この面の形状は、図２の（ａ）に示すように、ｚｘ面に沿った平面であってもよいし、第１領域Ｒ１における外側面１１２ｓに沿うようにｙ軸負方向側に向かって突出した曲面であってもよい。
【００３９】
リブ群１３は、第２領域Ｒ２に形成された１６個のリブ１３１〜１３１６により構成されている。以下においては、各リブを区別しない場合には、リブ１３１〜１３１６の各々のことをリブ１３ｉ（ｉは、１以上１６以下の整数）とも称する。各リブ１３ｉは、ｘｙ平面に沿った板状部材又はフィン状部材であり、側壁１１２の周方向に沿って設けられている（図２の（ａ）及び（ｂ）参照）。第２領域Ｒ２にこのようなリブ１３ｉが複数形成されていることにより、隣接するリブ１３ｉとリブ１３ｉ＋１との間には、リブ１３ｉとリブ１３ｉ＋１とにより挟まれた溝が１５個存在する。
【００４０】
なお、本実施形態においては、リブ群１３を構成する材料として、側壁１１２を構成する材料と同じ材料を採用している。ただし、リブ群１３を構成する材料は、所望の熱伝導率などに応じて適宜定めることができる。
【００４１】
＜第１開口群ＡＰ１＞
図２の（ａ）及び（ｂ）に示すように、第２領域Ｒ２には、側壁１１２をその内側から外側に向かって貫通する１３個の第１開口ＡＰ１１〜ＡＰ１１３からなる第１開口群ＡＰ１が形成されている。第１開口ＡＰ１１〜ＡＰ１１３は、請求の範囲に記載の開口でもある。以下においては、各第１開口を区別しない場合には、第１開口ＡＰ１１〜ＡＰ１１３の各々のことを第１開口ＡＰ１ｊ（ｊは、１以上１３以下の整数）とも称する。
【００４２】
アイロンヘッド１１において、各第１開口ＡＰ１ｊは、上述した複数の溝の何れかに形成されている。本実施形態においては、上述した１５個の溝のうち、ｚ軸方向両端の溝（リブ１３１とリブ１３２とに挟まれた溝、及び、リブ１３１５とリブ１３１６とに挟まれた溝）を除いた１３個の溝に、各第１開口ＡＰ１ｊが１組ずつ形成されている。ここで、１組の第１開口ＡＰ１ｊとは、上述した対称軸を境にしてｘ軸負方向側及びｘ軸正方向側に設けられた２つの第１開口ＡＰ１ｊを意味する。
【００４３】
１３個の第１開口ＡＰ１ｊは、第２領域Ｒ２のうち第１領域Ｒ１と第２領域Ｒ２との境界近傍に、当該境界に沿って配置されている（図２の（ａ）及び（ｂ）参照）。換言すれば、１３個の第１開口ＡＰ１ｊは、上記境界に隣接する（あるいは近接する）ように配置されている。
【００４４】
図２の（ｂ）及び（ｃ）に図示した矢印は、アイロンヘッド１１のｚ軸負方向側の端部より、アイロンヘッド１１の内部にイオン風ＷＩを供給したときに、各第１開口ＡＰ１ｊから吹き出すイオン風ＷＩの主たる吹き出し方向を示す。なお、以下において、イオン風ＷＩの主たる吹き出し方向のことを単に吹き出し方向と称する。また、この吹き出し方向は、請求の範囲に記載の第１の吹き出し方向である。
【００４５】
本実施形態において、イオン風ＷＩの吹き出し方向は、（１）側壁１１２の内側壁（内側面）における第１開口ＡＰ１ｊの径の中点である内側中点と、（２）側壁１１２の外側壁（外側面）における第１開口ＡＰ１ｊの径の中点である外側中点とを通る直線である。図２の（ｂ）の縦断面に示したように、第１開口ＡＰ１ｊの互いに対向する壁同士が平行である場合、吹き出し方向は、第１開口ＡＰ１ｊの互いに対向する壁と平行になる。
【００４６】
本実施形態において、各第１開口ＡＰ１ｊは、吹き出し方向がｘｙ平面（側壁１１２の横断面に沿う面）に沿うように、すなわち、図２の（ｂ）に示した縦断面においては、ｘ軸方向に沿うように、構成されている。吹き出し方向をｘｙ平面に対して沿わせるために、各第１開口ＡＰ１ｊは、側壁１１２の外側壁における輪郭のｚ軸方向における位置と、側壁１１２の内側壁における輪郭のｚ軸方向における位置とが、凡そ等しくなるように（本実施形態では等しくなるように）構成されている。
【００４７】
そのうえで、図２の（ｃ）に示した横断面においては、各第１開口ＡＰ１ｊは、吹き出し方向がｘ軸方向からｙ軸負方向側（すなわち、ブラシ１２の側）へ傾くように構成されている。
【００４８】
各第１開口ＡＰ１ｊの形状、例えば、側壁１１２の内壁及び外壁の各々における各第１開口ＡＰ１ｊの輪郭は、限定されるものではなく、任意の形状に設計することができる。例えば、この輪郭は、円形や楕円形などの曲線により構成された形状であってもよいし、多角形（例えば四角形）のように直線により構成された形状であってもよいし、曲線と直線とを組み合わせることにより構成された形状であってもよい。
【００４９】
（アイロンヘッド１１及びヘアアイロン１の効果）
上述したように、アイロンヘッド１１の第１領域Ｒ１には、ブラシ１２が形成されているので、ユーザが熱を感じにくくしつつ、ヘアスタイリング（毛髪のセット）時の癖付けをしっかり行うことができる。
【００５０】
そのうえで、アイロンヘッド１１の第２領域Ｒ２には、リブ群１３が形成されている。加熱装置２４から側壁１１２に伝導された熱エネルギーＴＥは、各リブ１３ｉを経て各リブ１３ｉの先端に達する。したがって、側壁１１２の外側面１１２ｓの温度と、各リブ１３ｉの先端の温度とを比較した場合、各リブ１３ｉの先端の温度は、外側面１１２ｓの温度の温度を下回る。したがって、ブラシ１２（特２は第２のブリッスル）の温度が髪を癖付けするための好適な温度となるように加熱装置２４を制御した場合であっても、各リブ１３ｉの先端の温度を抑制し、外側面１１２ｓの温度よりも低温にすることができる。このように第２領域Ｒ２にリブ群１３が形成されていることによって、各リブ１３ｉの先端がヘアスタイリングを実施するユーザの頭皮に接した場合であっても、外側面１１２ｓがユーザの頭皮に接することを防ぎ、アイロンヘッド１１から頭皮へ伝わる熱エネルギーＴＥを抑制することができる。すなわち、アイロンヘッド１１及びヘアアイロン１は、ユーザに対して熱を感じにくくすることができる。
【００５１】
そのうえで、アイロンヘッド１１の側壁１１２には、第１開口群ＡＰ１が形成されている。したがって、アイロンヘッド１１が本体２１に装着され、イオン風ＷＩがアイロンヘッド１１の内側に供給された場合に、第１開口群ＡＰ１を構成する各第１開口ＡＰ１ｊからイオン風ＷＩを吹き出させることができる。したがって、アイロンヘッド１１は、本体２１に装着された場合に、ドライヤーと併用することなく髪に対して風を当てながらスタイリングを実施することができる。
【００５２】
アイロンヘッド１１においては、各第１開口ＡＰ１ｊが上述した溝の何れかに形成されている。アイロンヘッド１１又はヘアアイロン１を用いてユーザが髪をカールさせるようにスタイリングするとき、髪は、ブラシ１２によりキャッチされた状態でアイロンヘッド１１に巻き付く。このとき、第２領域Ｒ２に接する髪は、リブ群１３の作用により複数本ずつの束にまとめられた状態で、複数の溝の何れかに落ち込む。アイロンヘッド１１又はヘアアイロン１によれば、その溝に各第１開口ＡＰ１ｊ形成されているため、効率よく髪に風を当てることができる。
【００５３】
図２の（ｂ）及び（ｃ）に示すように、各第１開口ＡＰ１ｊは、第１領域Ｒ１と第２領域Ｒ２との境界に沿って配置されている。
【００５４】
したがって、アイロンヘッド１１又はヘアアイロン１は、ブラシ１２によりキャッチされている髪に対して近い箇所から風を当てることができる。
【００５５】
また、図１に示したように、ヘアアイロン１の本体２１は、イオン発生装置２３と、加熱装置２４とを備えている。加熱装置２４がアイロンヘッド１１を加熱することによって、スタイリングを実施する場合に、髪に対して癖付けするために好適な熱エネルギーを供給することができる。そのうえで、イオン発生装置２３がプラスイオン及びマイナスイオンを生成することによって、本体２１は、イオン風ＷＩをアイロンヘッド１１に対して供給することができる。したがって、ヘアアイロン１は、スタイリングに用いる場合に、イオン風ＷＩを髪に対して当てることができる。したがって、ヘアアイロン１は、加熱されたアイロンヘッド１１が髪に与える熱ダメージを軽減し、且つ、髪に対する癖付け効果を向上させることができる。
【００５６】
〔第２の実施形態〕
本発明の第２の実施形態に係るアイロンヘッド１１Ａについて、図３を参照して説明する。アイロンヘッド１１Ａは、アイロンヘッド１１の変形例の１つである。アイロンヘッド１１Ａは、アイロンヘッド１１をベースにして、第１開口群ＡＰ１を変更すること、より具体的には、各第１開口ＡＰ１ｊからのイオン風ＷＩの吹き出し方向を変更することによって得られる。それ以外の構成について、アイロンヘッド１１Ａは、アイロンヘッド１１と同じである。したがって、本変形例では、アイロンヘッド１１Ａについて、各第１開口ＡＰ１ｊを説明するに留め、それ以外の構成の説明を省略する。なお、説明の便宜上、アイロンヘッド１１Ａにはアイロンヘッド１１と同じ符号を付している。
【００５７】
図３は、アイロンヘッド１１Ａの縦断面図であり、アイロンヘッド１１における図２の（ｂ）に対応する図である。なお、図３に図示した座標系は、図１の（ｃ）に図示した座標系と同様に定められている。
【００５８】
図３に示すように、本変形例の第１開口群ＡＰ１は、各第１開口ＡＰ１ｊからのイオン風ＷＩの吹き出し方向が、側壁１１２の横断面に沿う面であるｘｙ平面に対して傾きを有するように構成されている。
【００５９】
吹き出し方向をｘｙ平面に対して傾かせるために、本実施形態の各第１開口ＡＰ１ｊは、側壁１１２の外側壁における輪郭のｚ軸方向における位置と、側壁１１２の内側壁における輪郭のｚ軸方向における位置とが、異なるように（本実施形態では、外側壁における輪郭が内側壁における輪郭よりｚ軸正方向側に位置するように）構成されている。
【００６０】
各第１開口ＡＰ１ｊからのイオン風ＷＩの吹き出し方向がｘｙ面に対して傾いているため、吹き出し方向がｘｙ面に沿っている場合と比較して、第１開口群ＡＰ１から吹き出したイオン風ＷＩのうち、リブ群１３に当たって散乱されるイオン風ＷＩの割合が増加する。その結果、第１開口群ＡＰ１から吹き出したイオン風ＷＩが様々な方向に向かって吹き出すようになるため、このアイロンヘッド１１Ａ及びアイロンヘッド１１Ａを備えたヘアアイロン１は、髪のより広い範囲にイオン風ＷＩを当てることができる。
【００６１】
〔第３の実施形態〕
本発明の第３の実施形態に係るアイロンヘッド１１Ｂについて、図４を参照して説明する。アイロンヘッド１１Ｂは、アイロンヘッド１１の変形例の１つである。アイロンヘッド１１Ｂは、アイロンヘッド１１をベースにして、第２開口群ＡＰ２を追加することによって得られる。それ以外の構成について、アイロンヘッド１１Ｂは、アイロンヘッド１１と同じである。したがって、本実施形態では、アイロンヘッド１１Ｂについて、第２開口群ＡＰ２を説明するに留め、それ以外の構成の説明を省略する。なお、説明の便宜上、アイロンヘッド１１Ａには、第２開口群ＡＰ２に関する符号を除いてアイロンヘッド１１と同じ符号を付している。
【００６２】
図４の（ａ）及び（ｂ）は、それぞれ、アイロンヘッド１１Ｂの右側面図及び横断面図である。図４の（ａ）及び（ｂ）は、それぞれ、アイロンヘッド１１における図２の（ａ）及び（ｃ）に対応する図である。なお、図４に図示した座標系は、図１の（ｃ）に図示した座標系と同様に定められている。
【００６３】
アイロンヘッド１１Ｂにおいては、第２領域Ｒ２のうち、第１領域Ｒ１と第２領域Ｒ２との境界近傍とは異なる領域、すなわち、第１開口群ＡＰ１が形成されている領域とは異なる領域に、第２開口群ＡＰ２が形成されている（図４の（ａ）参照）。
【００６４】
第２開口群ＡＰ２は、第１開口群ＡＰ１と同様に、側壁１１２の軸方向（ｚ軸方向）に沿って配置された１３個の第２開口ＡＰ２１〜ＡＰ２１３からなる。以下においては、各第２開口を区別しない場合には、第２開口ＡＰ２１〜ＡＰ２１３の各々のことを第２開口ＡＰ２ｊ（ｊは、１以上１３以下の整数）とも称する。
【００６５】
アイロンヘッド１１Ｂにおいて、図４の（ｂ）に示すように各第１開口ＡＰ１ｊからの吹き出し方向Ｄ１は、アイロンヘッド１１における各第１開口ＡＰ１ｊからの吹き出し方向Ｄ１と同じである。
【００６６】
そのうえで、各第２開口ＡＰ２ｊは、その吹き出し方向Ｄ２（請求の範囲に記載の第２の吹き出し方向）が、吹き出し方向Ｄ１と異なるように構成されている。具体的には、各第２開口ＡＰ２ｊは、吹き出し方向Ｄ２がｘ軸方向に沿うように構成されている（図４の（ｂ）参照）。
【００６７】
アイロンヘッド１１Ｂにおいて、第１開口群ＡＰ１及び第２開口群ＡＰ２は、吹き出し方向Ｄ１と吹き出し方向Ｄ２とが互いに異なるように構成されていることが好ましいが、一致するように構成されていてもよい。
【００６８】
本実施形態では、吹き出し方向Ｄ１がｘ軸方向に対して傾いており、吹き出し方向Ｄ２がｘ軸方向に沿っている場合を例としている。しかし、（１）吹き出し方向Ｄ１，Ｄ２の双方がｘ軸方向に対して傾いていてもよいし、（１）吹き出し方向Ｄ１，Ｄ２の何れか一方がｘ軸方向に対して傾いており、他方がｘ軸方向に沿っていてもよいし、（３）吹き出し方向Ｄ１，Ｄ２の双方がｘ軸方向に沿っていてもよい。また、（１）の場合において、（４）吹き出し方向Ｄ１，Ｄ２の双方がｙ軸負方向側に傾いていてもよいし、（５）吹き出し方向Ｄ１，Ｄ２の何れか一方がｙ軸負方向側に傾いており、他方がｙ軸正方向側に傾いていてもよい。また、（１）〜（５）の何れの場合においても、吹き出し方向Ｄ１，Ｄ２の各々と、ｘ軸方向とのなす角の大小は、イオン風ＷＩを吹き出させたい範囲などに応じて、適宜設計することができる。
【００６９】
以上のように、第２領域Ｒ２には第１開口群ＡＰ１に加えて第２開口群ＡＰ２が形成されているため、アイロンヘッド１１Ｂは、アイロンヘッド１１と比較して、髪の広い範囲に風を当てることができる。
【００７０】
また、吹き出し方向Ｄ１と吹き出し方向Ｄ２とが互いに異なるように第１開口群ＡＰ１及び第２開口群ＡＰ２が構成されているため、アイロンヘッド１１Ｂは、アイロンヘッド１１と比較して、髪の広い範囲に確実に風を当てることができる。
【００７１】
なお、図４に示したアイロンヘッド１１Ｂにおいては、吹き出し方向Ｄ１及び吹き出し方向Ｄ２が何れもｘｙ平面に対して沿うように、各第１開口ＡＰ１ｊ及び各第２開口ＡＰ２ｊが設計されている。しかし、アイロンヘッド１１Ｂは、（１）図３に示したアイロンヘッド１１Ａのように、吹き出し方向Ｄ１がｘｙ平面に対して傾くように各第１開口ＡＰ１ｊが設計されていてもよいし、（２）吹き出し方向Ｄ２がｘｙ平面に対して傾くように各第２開口ＡＰ２ｊが設計されていてもよいし、（３）吹き出し方向Ｄ１，Ｄ２の各々がｘｙ平面に対して傾くように各第１開口ＡＰ１ｊ及び各第２開口ＡＰ２ｊが設計されていてもよい。（３）の場合であれば、吹き出し方向Ｄ１とｘｙ平面とのなす角と、吹き出し方向Ｄ２とｘｙ平面とのなす角とは、互いに同じであってもよいし、異なっていてもよい。また、吹き出し方向Ｄ１とｘｙ平面とのなす角と、吹き出し方向Ｄ２とｘｙ平面とのなす角との正負の符号は、互いに同じであってもよいし、異なっていてもよい。
【００７２】
このように設計されたアイロンヘッド１１Ｂによれば、吹き出し方向Ｄ１，Ｄ２の少なくとも一方がｘｙ面に対して傾いている。そのため、吹き出し方向Ｄ１，Ｄ２の両方がｘｙ面に沿っている場合と比較して、髪の更に広い範囲に風を当てることができる。
【００７３】
〔まとめ〕
本発明の態様１に係るヘアアイロンは、一方の端部が封じられた側壁を有する筒状のアイロンヘッドと、上記アイロンヘッドに風を供給する送風装置と、を備えている。上記アイロンヘッドは、上記側壁の外側面のうち、当該側壁の軸方向に沿った一部領域である第１領域に設けられたブラシと、上記第１領域とは異なる領域である第２領域に上記側壁の周方向に沿って設けられた複数のリブと、を有している。上記第２領域には、上記側壁を貫通する複数の開口が形成されている。
【００７４】
本発明の態様２に係るヘアアイロンは、上記態様１において、上記第２領域には、上記複数のリブのうち隣接する２つのリブにより挟まれた溝が複数存在し、上記複数の開口の各々は、複数の上記溝の何れかに形成されている、ことが好ましい。
【００７５】
本発明の態様３に係るヘアアイロンは、上記態様１又は２において、上記複数の開口が、上記第１領域と上記第２領域との境界に沿って配置されている、ことが好ましい。
【００７６】
本発明の態様４に係るヘアアイロンは、上記態様１〜３の何れか一態様において、上記複数の開口から風が吹き出す方向である吹き出し方向は、上記側壁の横断面に沿う面に対して傾きを有する、ことが好ましい。
【００７７】
本発明の態様５に係るヘアアイロンは、上記態様３において、上記複数の開口を複数の第１開口とし、当該複数の第１開口からなる開口群を第１開口群として、上記第２領域のうち上記第１開口群が形成されている領域と異なる領域には、上記軸方向に沿って配置されている複数の第２開口からなる第２開口群であって、上記第１開口群とは異なる第２開口群が形成されている、ことが好ましい。
【００７８】
本発明の態様６に係るヘアアイロンは、上記態様５において、上記複数の第１開口から風が吹き出す方向である第１の吹き出し方向と、上記複数の第２開口から風が吹き出す方向である第２の吹き出し方向とは、互いに異なる、ように構成されていることが好ましい。
【００７９】
本発明の態様７に係るヘアアイロンは、上記態様５又は６において、上記複数の第１開口から風が吹き出す方向である第１の吹き出し方向、及び、上記第２開口から風が吹き出す方向である第２の吹き出し方向の少なくとも一方は、上記側壁の横断面に沿う面に対して傾きを有する、ことが好ましい。
【００８０】
本発明の態様８に係るヘアアイロンは、上記態様１〜７の何れか一態様において、上記アイロンヘッドを加熱する加熱装置と、帯電粒子を生成することにより、上記送風装置が生成した風を、帯電粒子を含む風に変換する帯電粒子発生装置と、を更に備えている、ことが好ましい。
【００８１】
本発明の態様９に係るアイロンヘッドは、ヘアアイロンの一部を構成する、一方の端部が封じられた側壁を有する筒状のアイロンヘッドである。本アイロンヘッドは、上記側壁の外側面のうち、当該側壁の軸方向に沿った一部領域である第１領域に設けられたブラシと、上記第１領域とは異なる領域である第２領域に上記側壁の周方向に沿って設けられた複数のリブと、を有する。上記第２領域には、上記側壁を貫通する複数の開口が形成されている。
【００８２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８３】
１    ヘアアイロン
１１，１１Ａ，１１Ｂ  アイロンヘッド
１１１    端壁
１１２    側壁
１１２ｓ  外側面
Ｒ１    第１領域
Ｒ２    第２領域
ＡＰ１  第１開口群（複数の開口）
ＡＰ１１〜ＡＰ１１３，ＡＰ１ｊ  第１開口（開口）
Ｄ１    吹き出し方向（第１の吹き出し方向）
ＡＰ２  第２開口群
ＡＰ２１〜ＡＰ２１３，ＡＰ２ｊ  第２開口
Ｄ２    吹き出し方向（第２の吹き出し方向）
１２    ブラシ
１３    リブ群
１３ｉ  リブ
２１    本体
２２    送風装置
２３    イオン発生装置
【図１】
2019215972.tif 000003
【図２】
2019215972.tif 000004
【図３】
2019215972.tif 000005
【図４】
2019215972.tif 000006
【国際調査報告】
2019215972.tif 000007
2019215972.tif 000008